(57)【要約】【課題】エンコーダを利用せずに、搬送されているラベルに対して正確な印字を行うこと。【解決手段】上述の課題を解決するために、搬送されているラベルＬ１に印字を行うラベル印字装置１であって、ラベルＬ１を搬送する搬送ローラ３と、搬送ローラ３を回転駆動する駆動部２と、搬送ローラ３が搬送するラベルＬ１に印字を行う印字部４と、駆動部２に回転駆動をさせる駆動パルス又は駆動電圧を出力する制御部とを備え、制御部は、駆動パルス又は駆動電圧に比例したパルス速度の印字パルスを印字部４に出力する、ラベル印字装置１を提供する。本発明に係るラベル印字装置であれば、エンコーダを利用せずに、搬送されているラベルに対して正確な印字が行える。【選択図】図２
2020037417.tif 000002
【特許請求の範囲】
【請求項１】
搬送されているラベルに印字を行うラベル印字装置であって、
ラベルを搬送する搬送ローラと、
前記搬送ローラを回転駆動する駆動部と、
前記搬送ローラが搬送するラベルに印字を行う印字部と、
前記駆動部に回転駆動をさせる駆動パルス又は駆動電圧を出力する制御部とを備え、
前記制御部は、駆動パルス又は駆動電圧に比例したパルス速度の印字パルスを前記印字部に出力する、ラベル印字装置。
【発明の詳細な説明】
【技術分野】
【０００１】
本発明は、搬送されているラベルに対して印字を行うラベル印字装置に関するものである。
【背景技術】
【０００２】
本発明に係るラベル印字装置の従来例として、卵の容器にラベルを投入するラベル投入装置に設けられたラベル印字装置が存在する（たとえば、特許文献１参照）。
【０００３】
この従来のラベル印字装置は、繰り出し部から順次繰り出されるラベル（帯状紙）に所定の印字情報を印字するプリントヘッドを備えている。
【０００４】
繰り出し部は搬送ローラと搬送ローラを駆動するステッピングモータを有しており、ステッピングモータは所定パルス数に応じた駆動を行って停止する。このとき、プリントヘッドが作動して産卵日、賞味期限等の所定の印字情報をラベルに印字し、この印字の終了後ステッピングモータが再び駆動されることとなる。
【先行技術文献】
【特許文献】
【０００５】
【特許文献１】特開２００１−１７１６３６号公報
【発明の概要】
【発明が解決しようとする課題】
【０００６】
近年ではラベル印字装置の高速化が求められているものの、従来のラベル印字装置は、ラベルに対して正確に印字を行うために、搬送されているラベルを停止させてからプリントヘッドによって印字を行い、印字が完了してから搬送を再開しているので、ラベルを容器に投入するまでに時間を要していた。
【０００７】
そこで、搬送されているラベルを停止させずに印字を行うラベル印字装置が開発されているが、このラベル印字装置は搬送ローラのローラ軸にエンコーダを取り付け、ローラ軸の回転に応じてエンコーダから出力されるパルスを用いることで、搬送されているラベルに対して正確な印字を行っている。
【０００８】
ところが、エンコーダから出力されるパルスを用いて印字を行う場合、エンコーダの分解能と、印字を行うプリントヘッドの分解能及び設定を合わせ込む必要があるが、エンコーダの分解能は指定できる値が限られているため、エンコーダの分解能と、印字を行うプリントヘッドの分解能及び設定を合わせ込む作業は非常に煩雑であった。
【０００９】
本発明は、上記課題を解決するものであり、その目的は、エンコーダを利用せずに、搬送されているラベルに対して正確な印字を行うことである。
【課題を解決するための手段】
【００１０】
上述の課題を解決するために、搬送されているラベルに印字を行うラベル印字装置であって、ラベルを搬送する搬送ローラと、前記搬送ローラを回転駆動する駆動部と、前記搬送ローラが搬送するラベルに印字を行う印字部と、前記駆動部に回転駆動をさせる駆動パルス又は駆動電圧を出力する制御部とを備え、前記制御部は、駆動パルス又は駆動電圧に比例したパルス速度の印字パルスを前記印字部に出力する、ラベル印字装置を提供する。
【発明の効果】
【００１１】
本発明に係るラベル印字装置であれば、エンコーダを利用せずに、搬送されているラベルに対して正確な印字が行える。
【図面の簡単な説明】
【００１２】
【図１】本発明の実施の形態に係るラベル投入装置の構成を示す概略平面図である。
【図２】本発明の実施の形態に係るラベル印字装置の構成を示す概略側面図である。
【図３】本発明の実施の形態に係るラベル印字装置の動作を示す概略側面図である。
【図４】容器に投入される他のラベルの例を示す図である。
【図５】容器に貼り付けられるラベルの例を示す図である。
【発明を実施するための形態】
【００１３】
（ラベル投入装置）
本実施の形態にかかるラベル印字装置１は、図２，３に示すように、卵Ｅが収容されている容器Ｐ１に短冊状のラベルＬ１を投入するラベル投入装置１１に設けられている。
【００１４】
はじめに、本発明の実施の形態に係るラベル印字装置１が設けられているラベル投入装置１１について説明する。本実施の形態に係るラベル投入装置１１は、容器コンベヤ１３上を蓋が開いた状態で搬送されている容器Ｐ１に対して、賞味期限等が印字されたラベルＬ１を投入する装置である。
【００１５】
容器Ｐ１には１０個の卵Ｅが収容されており、容器Ｐ１は、蓋が開いた状態で容器コンベヤ１３によって搬送される。容器Ｐ１は、容器本体及び蓋が、複数の卵の外形に沿って凹凸に形成された、卵の包装に用いられる、いわゆる「レギュラーパック」と呼ばれる合成樹脂製の透明容器である。
【００１６】
本実施の形態に係るラベル投入装置１１は、図１〜３に示すように、容器コンベヤ１３上に設けられており、ラベル投入装置１１は賞味期限等が印字される前のラベルＬ１を複数枚ストックし、ストックしているラベルＬ１を一枚ずつラベル印字装置１に供給するラベルストック部８と、ラベルストック部８が供給したラベルＬ１に賞味期限等を印字するラベル印字装置１と、ラベル印字装置１が印字を行ったラベルＬ１を一時的に保持し、容器コンベヤ１３によって搬送されてくる容器Ｐ１にラベルを投入するラベル投入部９とを備える。
【００１７】
（ラベル印字装置）
以下、本発明の実施の形態に係るラベル印字装置１について説明する。図２，３に示すように、本実施の形態に係るラベル印字装置１は、短冊状のラベルＬ１を搬送する搬送ローラ３と、搬送ローラ３を駆動する駆動部２と、搬送ローラ３が搬送するラベルＬ１に印字を行う印字部４と、駆動部２に駆動をさせる所定のパルス速度の駆動パルス又は所定の値の駆動電圧を出力し、また、印字部４に印字をさせる所定の印字パルスを出力する制御部１６とを備え、搬送されているラベルＬ１に賞味期限等を印字する装置である。
【００１８】
次に、ラベル印字装置１の駆動部２について説明する。駆動部２は、ローラ軸６を介して搬送ローラ３を回転駆動するための動力発生器であり、本実施の形態に係る駆動部２はステッピングモータ又はブラシレスモータである。駆動部２がステッピングモータの場合、制御部１６から出力される所定のパルス速度の駆動パルスによって駆動部２を駆動することで所定の回転速度で搬送ローラ３を回転駆動させる。また、駆動部２がブラシレスモータの場合、制御部１６は所定の値の駆動電圧によって駆動部２を駆動することで所定の回転速度で搬送ローラ３を回転駆動させる。
【００１９】
次に、搬送ローラ３について説明する。図２，３に示すように、搬送ローラ３は、ローラ軸６を中心として回転可能なもので、搬送ローラ３の表面とラベルＬ１の表面との摩擦を利用してラベルＬ１を搬送する。搬送ローラ３は、ラベルストック部８から供給されるラベルＬ１をラベル搬送面１０に対して垂直に立たせた状態で搬送方向Ｙへ搬送する。
【００２０】
また、本実施の形態では、ローラ径が同じである搬送ローラ３が搬送方向Ｙに沿って複数設けられている。本実施の形態に係る複数の搬送ローラ３は、それぞれのローラ軸６が歯付ベルト７によって同じ回転速度で回転しているためラベルＬ１を所定の速度で安定して搬送することができる。
【００２１】
次に、ラベル印字部４について説明する。本実施の形態に係るラベル印字部４は、制御部１６が出力した印字パルスによって印字速度が制御されているプリントヘッドである。印字部４は制御部１６から出力される所定のパルス速度の印字パルスに従ってラベルＬ１に印字を行う。本実施の形態に係る印字部４はインクジェット方式のプリントヘッドであるが、これに限らず、印字パルスによって印字速度が制御されるプリントヘッドであれば、他の方式であってもよい。
【００２２】
次に、ラベル検出部５について説明する。本実施の形態に係るラベル検出部５は、投・受光器及び反射板で構成された光電センサであり、図２，３に示すように、搬送ローラ３によって搬送されるラベルＬ１を検出する。ラベル検出部５は、投光器から照射され、反射板によって反射された光が受光器に到達する量を電気信号に変換し、ラベルＬ１がラベル検出部５の前を横切るときに変化する光量に基づいてラベルＬ１を検出し、その検出に係る信号を後述する制御部１６へ出力する。
【００２３】
次に、制御部１６について説明する。本実施の形態に係る制御部１６は、図１に示すように、ラベル投入装置１１に設けられている。制御部１６は、駆動部２に駆動をさせる駆動パルス又は駆動電圧を出力する。
【００２４】
制御部１６は印字部４に印字をさせる印字パルスを出力するが、制御部１６が駆動パルスを出力する場合、出力した駆動パルスのパルス速度に比例したパルス速度の印字パルスを出力する。たとえば、駆動パルスのパルス速度に対して等倍のパルス速度の印字パルスを出力するようにしてもよいし、さらに、駆動部２の加減速や駆動系の追従誤差などを加味したパルス速度の印字パルスを出力してもよい。
【００２５】
また、制御部１６が駆動電圧を出力する場合、出力した駆動電圧に比例したパルス速度の印字パルスを出力する。たとえば、駆動電圧の値を所定の計算式にあてはめて算出したパルス速度の印字パルスを出力してもよいし、さらに、駆動部２の加減速や駆動系の追従誤差などを加味したパルス速度の印字パルスを出力してもよい。
【００２６】
さらに、制御部１６は、印字パルスのパルス速度をソフトウェアによって調整できるようにしてもよい。パルス速度を調整できるようにすることで、たとえば、印字部４のプリントヘッドを分解能が異なるプリントヘッドに交換したときに、交換後のプリントヘッドの分解能に最適なパルス速度の印字パルスを出力することが可能になる。
【００２７】
続いて、本実施の形態に係るラベル印字装置１及びラベル印字装置１を備えるラベル投入装置１１の動作について説明する。
【００２８】
図１に示す容器コンベヤ１３の搬送方向Ｘの上流に設けられた卵の選別装置（図示せず）によって１０個の卵Ｅが収容された容器Ｐ１は、容器コンベヤ１３によって搬送される。搬送方向Ｘに沿って搬送される容器Ｐ１が、容器検出部１２によって検出されると、ラベル投入装置１１のラベルストック部８は、ストックしているラベルＬ１をラベル印字装置１に一枚供給する。
【００２９】
ラベルストック部８からラベルＬ１が供給されると、制御部１６は駆動部２に対して所定のパルス速度の駆動パルス又は所定の値の駆動電圧を出力する。そして、駆動パルス又は駆動電圧に比例したパルス速度の印字パルスを印字部４に対して出力する。
【００３０】
駆動部２が回転駆動を開始すると、ローラ軸６を介して搬送ローラ３が回転を開始する。この時、ローラ軸６に設けられた歯付ベルト７によって回転が他のローラ軸６に伝わり、複数の搬送ローラ３が同一の回転速度で回転する。
【００３１】
ラベルストック部８から供給されたラベルＬ１は、搬送ローラ３によってラベル搬送面１０に沿って搬送方向Ｙへ搬送され、図３（１）に示す位置でラベル検出部５に検出される。ラベル検出部５に検出されたラベルＬ１は搬送ローラ３によってさらに搬送方向Ｙへ搬送される。
【００３２】
ラベル検出部５がラベルＬ１を検出すると、制御部１６は、駆動部２に回転駆動させている駆動パルス又は駆動電圧に対応したタイミングで印字部４に印字を開始させる。すなわち、印字部４は、ラベル検出部５がラベルＬ１を検出した後、ラベル検出部５から印字部４の位置までラベルＬ１が搬送されたタイミングで、ラベルＬ１に対して印字を開始する。
【００３３】
印字部４は、制御部１６が出力した印字パルスに従ってラベルＬ１に対して賞味期限等の印字を行い、印字部４によって賞味期限等が印字されたラベルＬ１は搬送ローラ３によってさらに搬送方向Ｙへ搬送され、ラベル投入部９に到達する。ラベル投入部９に到達したラベルＬ１は、図３（２）に示す位置で一時的に保持され、ラベル投入部９は、容器コンベヤ１３上を搬送される容器Ｐ１が直下に到達したタイミングで、保持しているラベルＬ１を容器Ｐ１に収容されている卵Ｅの間に投入する。
【００３４】
ラベル投入部９によってラベルＬ１が投入された容器Ｐ１は、容器コンベヤ１３の搬送方向Ｘの下流側に設けられている閉蓋部材１４よって蓋が閉じられる。閉蓋部材１４は、容器コンベヤ１３によって搬送される容器Ｐの蓋を持ち上げ、蓋が閉じられるように案内する部材である。
【００３５】
閉蓋部材１４によって蓋が閉じられた容器Ｐ１は、さらに搬送方向Ｘの下流側に設けられている封緘部１５によってフランジ部分に粘着テープＴが貼り付けられて封緘される。封緘部１５によって封緘された後の容器Ｐ１は、容器コンベヤ１３によって、搬送方向Ｘのさらに下流側に設けられている集合場所（図示せず）まで搬送される。
【００３６】
本実施の形態に係るラベル印字装置１は、短冊状のラベルＬ１を容器Ｐ１に投入するラベル投入装置１１に設けられているが、これに限らず、たとえば、図４に示すような、蓋にラベルを配置するためのスペースが形成された容器Ｐ２の蓋に対して、ラベルＬ２を投入するラベル投入装置に設けてもよいし、図５に示すような、蓋にラベルを貼り付けるためのスペースが形成された容器Ｐ３の蓋に対して、ラベルＬ３を貼り付けるラベル貼付装置に設けてもよい。
【００３７】
本実施の形態に係るラベル印字装置は、制御部が駆動部を駆動させる駆動パルス又は駆動電圧に比例したパルス速度の印字パルスを印字部へ出力するので、エンコーダを利用せずに、搬送されているラベルに対して正確な印字が行える。
【００３８】
また、発明の実施の形態では、卵の容器に投入又は貼付するラベルに対する印字について説明を行ったが、本発明に係る印字装置の印字対象のラベルは、卵の容器に投入又は貼付するものに限らない。
【００３９】
今回開示された実施の形態は例示であってこれに制限されるものではない。本発明は上記で説明した範囲ではなく、特許請求の範囲によって示され、特許請求の範囲と均等の意味及び範囲でのすべての変更が含まれることが意図される。
【産業上の利用可能性】
【００４０】
本発明は、搬送されているラベルに対して印字を行うラベル印字装置に有効に利用される。
【符号の説明】
【００４１】
１  ラベル印字装置
２  駆動部
３  搬送ローラ
４  印字部
５  ラベル検出部
６  ローラ軸
７  歯付ベルト
８  ラベルストック部
９  ラベル投入部
１０  ラベル搬送面
１１  ラベル投入装置
１２  容器検出部
１３  容器コンベヤ
１４  閉蓋部材
１５  封緘部
１６  制御部
Ｅ  卵
Ｌ  ラベル
Ｐ  容器
Ｔ  粘着テープ
【図１】
2020037417.tif 000003
【図２】
2020037417.tif 000004
【図３】
2020037417.tif 000005
【図４】
2020037417.tif 000006
【図５】
2020037417.tif 000007